(57)【要約】【課題】複数の表示パネルをタイル状に並べて固定する、大型情報表示体の施工方法で、該表示パネルを構成する基板のたわみや、表示シートの剥離などから保護しつつ、その設置に手間隙がかからず、表示パネルの位置が一義的に定まり、かつ水平面以外の垂直面や斜め面の場合でも設置が可能な大型情報表示体の施工方法の提供にある。【解決手段】各表示パネル１０の裏面で、その４隅にパネル相対位置決め部材３０を固定し、中央にパネル固定用部材４０を固定し、該４隅のパネル相対位置決め部材３０にぶっつけるように十字形のパネル間スペーサー５０を挟み込み、該パネル間スペーサー５０の一先端に脱落防止治具５２が一体化され、前記パネル固定用部材４０をパネル支持体にネジ止めする大型情報表示体の施工方法である。【選択図】図３
2007093834.tif 000002
【特許請求の範囲】
【請求項１】
複数に分割された四角形状の表示パネルの４隅を突き合わせ、タイル状に並べて固定して大型の表示パネルとする大型情報表示体の施工方法であって、前記各表示パネルの裏面で、その４隅の所定の位置にパネル相対位置決め部材を固定し、その中央にパネル固定用部材を固定し、前記突き合わされた４隅のパネル相対位置決め部材にぶっつけるように十字形のパネル間スペーサーを挟み込み、前記中央のパネル固定用部材をパネル支持体にネジ止めすることを特徴とする大型情報表示体の施工方法。
【請求項２】
前記十字形のパネル間スペーサーの幅は、各隣接する表示パネル同士の隙間が０．１〜１．０ｍｍの範囲となるように設定することを特徴とする請求項１記載の大型情報表示体の施工方法。
【請求項３】
前記パネル相対位置決め部材は、側断面がコの字形状で、前面が開口部を有し、後面が板状でなり、該パネル相対位置決め部材の開口部がパネルの内側に向き、該開口部に嵌め込むように前記十字形のパネル間スペーサーと一体化された脱落防止治具を設けたことを特徴とする大型情報表示体の施工方法。
【発明の詳細な説明】
【技術分野】
【０００１】
本発明は、分割された表示パネルをタイル状に並べて大型の表示パネルとする大型情報表示体の施工方法であって、特に各表示パネルの位置決めが容易でかつ確実な大型情報表示体の施工方法に関する。
【背景技術】
【０００２】
従来、複数の表示パネルをタイル状に並べ、大型の情報表示体とするその施工方法において、その複数の表示パネルを並べて設置する場合、各表示パネルの各部に固定用の治具を設け、複数のネジで固定することが行われるのが一般的に知られ、この設置方法では、例えば、図８の平面図に示すように、複数の表示パネル（１０）をタイル状に並べ、その裏面に、表示パネル（１０）１つに付き４つのネジ（２０）で固定するものとすると、表示パネル（１０）の４倍の数のネジ（２０）が必要になる。さらに、予めネジ穴（２１）を精度よく設けておかなければならず、各表示パネル（１０）間の位置調整も多くのネジ（２０）を操作して行う必要があり、その設置（施工）には多くの手間隙がかかるものであった。
【０００３】
また、表示パネル（１０）の表示面を構成する基板同士を直接突き合わせることは、基板のたわみや、それに貼り付ける表示素子シート（例えば、機能性マイクロカプセルでなる電子ペーパーフィルム）の剥離を引き起こす可能性が高いため、実施は困難であった。したがって、各表示パネル（１０）間に微妙な隙間（２２）を設けて、各表示パネル（１０）をタイル状に並べなければならない。また、表示パネル（１０）面一杯を表示に使うために、位置決め兼設置に使えるような枠を設けることも出来ない。さらにまた、この位置決めは、表示パネル（１０）の枚数が増えるほど、非常に困難な作業であった。つまり、４箇所のネジ（２０）を緩めた状態で各表示パネル（１０）の位置関係を二次元で調整し、表示パネル（１０）の位置がずれないよう、慎重にネジ（２０）を締めこんでいくという作業であった。このように水平の置かれた状態でも手間隙のかかる施工作業であるが、実際の設置は、垂直面や斜め面の場合もあり、よってより困難な施工作業となるものであった。
【発明の開示】
【発明が解決しようとする課題】
【０００４】
本発明は、かかる従来技術の問題点を解決するものであり、その課題とするところは、複数の表示パネルをタイル状に並べて固定する、大型の情報表示体の施工方法において、その複数の表示パネルを並べて設置するに際し、表示パネルを構成する基板のたわみや、表示シートの剥離などからの保護をしつつ、その設置および固定に手間隙がかからず、表示パネルの位置が一義的に定まり、かつその固定に必要なネジ数を減らすことが可能で、たとえ垂直面や斜め面の場合でも設置が可能な大型情報表示体の施工方法を提供することにある。
【課題を解決するための手段】
【０００５】
本発明に於いて上記課題を達成するために、まず請求項１の発明では、複数に分割された四角形状の表示パネルの４隅を突き合わせ、タイル状に並べて固定して大型の表示パネルとする大型情報表示体の施工方法であって、前記各表示パネルの裏面で、その４隅の所定の位置にパネル相対位置決め部材を固定し、その中央にパネル固定用部材を固定し、前記突き合わされた４隅のパネル相対位置決め部材にぶっつけるように十字形のパネル間スペーサーを挟み込み、前記中央のパネル固定用部材をパネル支持体にネジ止めすることを特徴とする大型情報表示体の施工方法としたものである。
【０００６】
また、請求項２の発明では、前記十字形のパネル間スペーサーの幅は、各隣接する表示パネル同士の隙間が０．１〜１．０ｍｍの範囲となるように設定することを特徴とする請求項１記載の大型情報表示体の施工方法としたものである。
【０００７】
さらにまた、請求項３の発明では、前記パネル相対位置決め部材は、側断面がコの字形状で、前面が開口部を有し、後面が板状でなり、該パネル相対位置決め部材の開口部がパネルの内側に向き、該開口部に嵌め込むように前記十字形のパネル間スペーサーと一体化された脱落防止治具を設けたことを特徴とする請求項１または２記載の大型情報表示体の施工方法としたものである。
【発明の効果】
【０００８】
本発明は以上の構成であるから、下記に示す如き効果がある。
【０００９】
即ち、上記請求項１に係る発明によれば、複数に分割された四角形状の表示パネルの４隅を突き合わせ、タイル状に並べて固定して大型の表示パネルとする大型情報表示体の施工方法であって、前記各表示パネルの裏面で、その４隅の所定の位置にはパネル相対位置決め部材を固定し、前記突き合わされた４隅のパネル相対位置決め部材にぶっつけるように十字形のパネル間スペーサーを挟み込むことによって、前記表示パネルの位置決めが一義的に定まり、また各表示パネルの中央にはパネル固定用部材を固定することによって、その表示パネルの固定に際し、必要なネジ数を表示パネル１枚に付１個のネジとすることができ、従来に比べ大幅なコストと手間隙の削減に寄与する大型情報表示体の施工方法を提供できる。
【００１０】
また、上記請求項２に係る発明によれば、前記十字形のパネル間スペーサーの幅は、各隣接する表示パネル同士の隙間が０．１〜１．０ｍｍの範囲となるように設定することによって、その複数の表示パネルを並べて設置するに際し、表示パネルを構成する基板のたわみや、表示シートの剥離などからの保護をしつつ、表示パネルの位置が一義的に定められる大型情報表示体の施工方法とすることができる。
【００１１】
隣接する表示パネル同士の隙間が０．１ｍｍに満たないと表示パネル同士が接触して基板のたわみや表示シートの剥離などが発生する危惧があり、また、保守交換時の表示パネルの取り外し、再設置が困難となり、その隙間（クリアランス）が逆に１．０ｍｍを越えると表示される情報に切れ目が目立つようになるので好ましくない。但しこの隙間の上限は大型情報表示体や１個の表示パネルのサイズに依存することになるので、適宜選定する必要がある。
【００１２】
また、上記請求項３に係る発明によれば、前記パネル相対位置決め部材は、側断面がコの字形状で、前面が開口部を有し、後面が板状でなり、該パネル相対位置決め部材の開口部がパネルの内側に向き、該開口部に嵌め込むように前記十字形のパネル間スペーサーと一体化された脱落防止治具を設けることによって、水平以外の設置面、例えば垂直面や斜め面の場合であってもネジ止め等の作業が容易な大型情報表示体の施工方法とすることができる。
【００１３】
従って本発明は、分割された表示パネルをタイル状に並べ、大型の情報表示体とするその施工方法として、優れた実用上の効果を発揮する。
【発明を実施するための最良の形態】
【００１４】
以下本発明を実施するための最良の形態を図面を用いて詳細に説明する。
【００１５】
図１および図２は、本発明の大型情報表示体の施工方法の一実施の形態を工程別に説明する平面図およびその斜視図であり、図３は、本発明の大型情報表示体の施工方法の他の一実施の形態を説明する平面図およびその斜視図である。また、図４は、本発明の大型情報表示体の施工方法に係わる表示パネルの構成の一事例を説明する側断面図である。
【００１６】
上記請求項１に係る発明は、例えば、図１（ａ）の平面図および図１（ｂ）の斜視図に示すように、複数に分割された四角形状の各表示パネル（１０）の４隅を突き合わせ、タイル状に並べて固定して大型の表示パネルとする大型情報表示体（１）の施工方法であって、各表示パネル（１０）の裏面で、その４隅の所定の位置にはパネル相対位置決め部材（３０）を固定し、各表示パネル（１０）の中央にはパネル固定用部材（４０）を固定する。
【００１７】
続いて、例えば、図２（ａ）の平面図および図２（ｂ）の斜視図に示すように、４枚の表示パネル（１０）が並べられた中央の裏面に固定された４個のパネル相対位置決め部材（３０）にぶっつけるように十字形のパネル間スペーサー（５０）を挟み込む。
【００１８】
４枚以上の表示パネル（１０）をタイル状に並べ設置する場合、図２（ａ）に示すように、それぞれ各表示パネル（１０）の４隅の所定の位置に固定された４個（２個のみ図示）のパネル相対位置決め部材（３０）にぶっつけるように十字形のパネル間スペーサー（５０）をその表示パネルの数に応じて挟み込む。
【００１９】
さらにまた、各表示パネル（１０）の中央に固定されたパネル固定用部材（４０）を介してパネル支持体（図示せず）にネジ止めするようにした大型情報表示体の施工方法である。
【００２０】
このように、各表示パネル（１０）の裏面で、その４隅の所定の位置にパネル相対位置決め部材（３０）を固定し、この４隅のパネル相対位置決め部材（３０）にぶっつけるように十字形のパネル間スペーサー（５０）を挟み込むことによって、各表示パネル（１０）の位置決めが一義的に定まり、また各表示パネル（１０）の中央にパネル固定用部材（４０）を固定することによって、その表示パネル（１０）をパネル支持体（図示せず）への固定に際し、必要なネジ数を表示パネル（１０）１枚に付き１個のネジとすることができ、従来の大型情報表示体の施工方法に比べ、大幅なコストと手間隙の削減に寄与することができる。
【００２１】
また、上記請求項２に係る発明は、図２（ａ）の平面図および図２（ｂ）の斜視図に示すように、十字形のパネル間スペーサー（５０）の幅は、各隣接する表示パネル（１０）同士の隙間（２２）が０．１〜１．０ｍｍの範囲となるように設定する大型情報表示体（１）の施工方法である。
【００２２】
このように、十字形のパネル間スペーサー（５０）の幅を、各隣接する表示パネル（１０）同士の隙間が０．１〜１．０ｍｍの範囲となるように設定することによって、複数の表示パネル（１０）をタイル状に並べて設置するに際し、その表示パネル（１０）を構成する基板のたわみや、それに貼りつける表示シートの剥離などに対して保護しつつ、各表示パネル（１０）の位置が一義的に定めることができる。
【００２３】
さらにまた、上記請求項３に係る発明では、図３（ｂ）の平面図および図３（ｃ）の斜視図に示すように、まず各表示パネル（１０）の４隅に固定されたパネル相対位置決め部材（３０）は、側断面がコの字形状でなり、前面が開口部（３２）を有し、後面（３４）が板状でなるもので、そのパネル相対位置決め部材（３０）の開口部（３２）が表示パネル（１０）の内側に向いているように固定する。
【００２４】
続いて、例えば、図３（ａ）の平面図に示すように、内側に開口部を有するコの字形状の脱落防止治具（５２）を十字形のパネル間スペーサー（５０）の一先端に一体化し、この一体化された脱落防止治具（５２）を、図３（ｂ）の平面図および図３（ｃ）の斜視図に示すように、各表示パネル（１０）の内側に向いているパネル相対位置決め部材（３０）の開口部（３２）に嵌め込むようにする大型情報表示体の施工方法である。
【００２５】
このように、十字形のパネル間スペーサー（５０）の一先端に一体化された脱落防止治具（５２）を各表示パネル（１０）の内側に向いているパネル相対位置決め部材（３０）の開口部（３２）に嵌め込むようにすることによって、設置面が水平以外の、例えば垂直面や斜め面の場合であっても各表示パネル（１０）の配置調整やネジ止め等の作業が容易な大型情報表示体の施工方法とすることができる。
【００２６】
以下に、上記本発明の大型情報表示体の施工方法に用いる各部材の構成と材料およびその施工方法等について説明する。
【００２７】
まず、表示パネル（１０）としては、例えば、液晶ディスプレイ、ＥＬ（Ｅｌｅｃｔｒｏ  Ｌｕｍｉｎｅｓｃｅｎｃｅ）、あるいは電極層と機能性マイクロカプセルの画像表示層とでなるシート（通称電子ペーパー）などがある。
【００２８】
上記機能性マイクロカプセルシートを一事例として説明すると、例えば、図４の側断面図に示すように、プリント基板（６０）上に電極層（６１）が設けられ、この電極層（６１）上に接着層（６２）を介して機能性を有するマイクロカプセル（６３）が単層として並んでいる画像表示層（６４）が形成され、その上に透明電極層（６５）が施されているフィルム（６６）を接着剤層（５５）で接着している反射型の表示パネル（１０）がある。
【００２９】
この機能性マイクロカプセル（６３）の一例として、例えば、図５の模式図に示すように、アラビアゴム等をカプセル殻（１１１）とし、内部には酸化チタンからなる白の粒子（１１３）とカーボンブラックからなる黒の粒子（１１４）が、シリコーンオイル等の粘性の高い分散媒（１１２）に分散され封入されている。この白の粒子（１１３）である酸化チタンは正電荷を帯びており、一方黒の粒子（１１４）であるカーボンブラックは負電荷を帯びている。
【００３０】
このため、図６の模式図に示すように、透明電極層（６５）と電極層（６１）に電界を印加し、透明電極層（６５）が負極、電極層（６１）が正極になった場合、正に帯電した白の粒子（１１３）が透明電極層（６５）側に引かれ、黒の粒子（１１４）は電極層（６１）側に引かれるので、透明電極層（６５）側の上方から観察するとその部分が白く見える。逆に透明電極層（６５）が正極で、電極層（６１）が負極になった場合は、上記と白黒が逆になって見えるようになるものである。
【００３１】
上記のように図４に示す機能性マイクロカプセルシート（２）をプリント基板（６０）に接着層（６２）を介して貼り合わせた表示パネル（１０）がある。
【００３２】
この表示パネル（１０）を構成するプリント基板（６０）の裏面に、例えば、図７の側断面図に示すように、パネル固定用部材（４０）を半田付けで固定し、そのパネル固定用部材（４０）に刻設されている雌ネジ穴（４２）にボルト（４３）でパネル支持体（４６）にネジ止めして固定する。また、図示しないが、このパネル固定用部材（４０）と同様にしてパネル相対位置決め部材をプリント基板（６０）の裏面に半田付けで固定する。
【００３３】
この表示パネル（１０）を構成するプリント基板（６０）の裏面に固定するパネル固定用部材（４０）とパネル相対位置決め部材（３０）は、鉄製のものが半田付けに対する耐熱性とネジ止めで固定するための強度などの点から好適であり、これら部材は、雌ネジを有する電源端子として市販されている部品であり、例えば、他の電子部品同様に位置精度よくリフロー実装することができるものを使用することができる。
【００３４】
また、４隅のパネル相対位置決め部材（３０）にぶっつけるように挟み込む、十字形のパネル間スペーサー（５０）としては、その材料を限定するものではなく、例えば、金属製、木製、プラスチック製でも良い。
【図面の簡単な説明】
【００３５】
【図１】本発明の大型情報表示体の施工方法の実施の形態を示すもので、（ａ）は、その一工程を説明する平面図であり、（ｂ）は、その斜視図である。
【図２】本発明の大型情報表示体の施工方法の実施の形態を示すもので、（ａ）は、他の一工程を説明する平面図であり、（ｂ）は、その斜視図である。
【図３】本発明の大型情報表示体の施工方法の他の実施の形態を示すもので、（ａ）は、脱落防止治具の一事例を示す平面図であり、（ｂ）は、脱落防止治具の一事例を装填した平面図であり、（ｃ）は、その斜視図である。
【図４】本発明の大型情報表示体の施工方法に使用する表示パネルの一事例を側断面で表した説明図である。
【図５】本発明の大型情報表示体の施工方法に使用する表示パネルを構成する機能性マイクロカプセルの一事例を模式的に表した説明図である。
【図６】本発明の大型情報表示体の施工方法に使用する表示パネルの画像表示の一事例を模式的に表した側断面図である。
【図７】本発明の大型情報表示体の施工方法の一事例を側断面で表した説明図である。
【図８】従来の大型情報表示体の施工方法の一事例を説明するもので、裏面から見た平面図である。
【符号の説明】
【００３６】
１‥‥大型情報表示体
２‥‥機能性マイクロカプセルシート
１０‥‥表示パネル
２０‥‥ネジ
２２‥‥表示パネル同士の隙間
３０‥‥パネル相対位置決め部材
３２‥‥パネル相対位置決め部材の開口部
３４‥‥パネル相対位置決め部材の後面
４０‥‥パネル固定用部材
４２‥‥ボルト
４３‥‥雌ネジ穴
４６‥‥パネル支持体
５０‥‥パネル間スペーサー
５２‥‥脱落防止治具
６０‥‥プリント基板
６１‥‥電極層
６２‥‥接着層
６３‥‥機能性マイクロカプセル
６４‥‥画像表示層
６５‥‥透明電極層
６６‥‥透明フィルム層
１１０‥‥機能性マイクロカプセル
１１１‥‥カプセル殻
１１３‥‥白の粒子
１１４‥‥黒の粒子
【図１】
2007093834.tif 000003
【図２】
2007093834.tif 000004
【図３】
2007093834.tif 000005
【図４】
2007093834.tif 000006
【図５】
2007093834.tif 000007
【図６】
2007093834.tif 000008
【図７】
2007093834.tif 000009
【図８】
2007093834.tif 000010